(57)【要約】【課題】販売時点情報管理装置を提供することを課題とする。【解決手段】販売時点情報管理装置であって、クラウドホストと、第１データを保存することに用いられ、クラウドホストに接続されると共に第１データをクラウドホストに送信すると共に同期して保存する第１の売上管理コンピュータと、第１の売上管理コンピュータに接続され、接続状態を検出することに用いられ、接続状態に異常があることを検出した時、第１データを第１の売上管理コンピュータに一時的保存し、接続状態が正常にあることを検出した時、第１データをクラウドホストに送信して第１の売上管理コンピュータと同期して保存する検出素子と、を含む。【選択図】  図１
2014032639.tif 000002
【特許請求の範囲】
【請求項１】
クラウドホストと、
第１データを保存することに用いられ、前記クラウドホストに接続されると共に前記第１データを前記クラウドホストに送信すると共に同期して保存する第１の売上管理コンピュータと、
前記第１の売上管理コンピュータに接続され、接続状態を検出することに用いられ、前記接続状態に異常があることを検出した時、前記第１データを前記第１の売上管理コンピュータに一時的保存し、前記接続状態が正常にあることを検出した時、前記第１データを前記クラウドホストに送信して前記第１の売上管理コンピュータと同期して保存する検出素子と、
を含むことを特徴とする販売時点情報管理装置。
【請求項２】
前記第１の売上管理コンピュータは、前記第１データを保存するためのデータベースを更に含むことを特徴とする、請求項１に記載の販売時点情報管理装置。
【請求項３】
前記第１データは、取引データを更に含み、前記売上管理コンピュータがストレージモジュールを更に含み、前記接続状態に異常があることを検出した時、接続状態が異常な時間帯内の取引で生成された前記取引データを前記ストレージモジュールに一時保存し、接続状態が正常になった時、前記取引データを直ちに前記クラウドホストに送信することを特徴とする、請求項１に記載の販売時点情報管理装置。
【請求項４】
前記クラウドホストは、前記第１データを保存するためのゾーニングデータベースを更に含むことを特徴とする、請求項１に記載の販売時点情報管理装置。
【請求項５】
前記クラウドホストは、前記第１データをバックアップすると共に前記第１データを前記第１の売上管理コンピュータに返送するためのバックアップリカバリーモジュールを更に含むことを特徴とする、請求項１に記載の販売時点情報管理装置。
【請求項６】
前記クラウドホストに接続され、前記第１データを検索するためのモバイルデバイスを更に含むことを特徴とする、請求項１に記載の販売時点情報管理装置。
【請求項７】
前記クラウドホストは、特定の前記第１の売上管理コンピュータを検索するための検出モジュールを更に含むことを特徴とする、請求項１に記載の販売時点情報管理装置。
【請求項８】
前記クラウドホストは、更新データを特定の前記第１の売上管理コンピュータに送信するための更新モジュールを更に含むことを特徴とする、請求項７に記載の販売時点情報管理装置。
【請求項９】
前記第１の売上管理コンピュータに接続され、それぞれ第２データを前記第１の売上管理コンピュータにアップロードする複数台の第２の売上管理コンピュータを更に含むことを特徴とする、請求項１に記載の販売時点情報管理装置。
【請求項１０】
前記検出素子が前記接続状態に異常があることを検出した時、前記第２データを前記第１の売上管理コンピュータに一時保存し、前記接続状態の正常を検出した時、前記第２データを前記クラウドホストに送信し、前記第１の売上管理コンピュータと同期して保存することを特徴とする、請求項９に記載の販売時点情報管理装置。
【請求項１１】
前記クラウドホストは、前記第２データを保存するためのゾーニングデータベースを更に含むことを特徴とする、請求項１０に記載の販売時点情報管理装置。
【請求項１２】
前記クラウドホストは、前記第２データをバックアップすると共に前期第２データを前記第１の売上管理コンピュータと前記第２の売上管理コンピュータに返送するためのバックアップリカバリーモジュールを更に含むことを特徴とする、請求項１０に記載の販売時点情報管理装置。
【請求項１３】
前記クラウドホストに接続され、前記第２データを検索するためのモバイルデバイスを更に含むことを特徴とする、請求項１０に記載の販売時点情報管理装置。
【発明の詳細な説明】
【技術分野】
【０００１】
本発明は、販売時点情報管理装置に関し、特に、異常な接続を検出すると共に同期保存できる販売時点情報管理装置に関する。
【背景技術】
【０００２】
時代の進歩に伴い、家庭、オフィスビル或いは工場を問わず作業上の必要性に対応する電子サービス機器が絶え間なく進歩と進化し、一般的な物品の販売サービスにおいても電子機器の運用を介してサービスの利便性を強化している。
【０００３】
従来の販売時点情報管理（Ｐｏｉｎｔ  ｏｆ  Ｓａｌｅｓ、ＰＯＳ）サービスは、大まかに単体型とマルチ型の２種類に大別される。単体型の販売時点情報管理サービスは、販売時点情報管理のプログラムをホストコンピュータにインストールし、販売時点情報管理のデータをホストコンピュータに保存している。マルチ型の販売時点情報管理サービスは、またＣｌｉｅｎｔ／Ｓｅｒｖｅｒアーキテクチャ及びＢｒｏｗｓｅｒ  Ｂａｓｅアーキテクチャに分かれる。
Ｃｌｉｅｎｔ／Ｓｅｒｖｅｒアーキテクチャは、販売時点情報管理のプログラムをホストコンピュータにインストールし、データを主サーバーに保存している。Ｂｒｏｗｓｅｒ  Ｂａｓｅアーキテクチャでは、ネットワークホストにプログラムをインストールすることで、ウェブ方式で販売時点情報管理のプログラムを実行し、ネットワークホストにデータを保存する。
【０００４】
しかし単体型或いはマルチ型の販売時点情報管理サービスは、ネットワークに異常が発生した時、販売時点情報管理サービスを全て使用できなくなるため、ネットワークの接続機能を喪失した場合、販売時点情報管理サービスはサービスを一時中止し、ＰＯＳを利用する利便性がなくなる。
【０００５】
よって、販売時点情報管理サービスの使用上の利便性及び効果的に運用されるため、ネットワークに異常が発生した時でも、やはり効果的に作動できるよう考えていくことは、本願の発明者及び当業者は早急に改良したい課題となっている。
【発明の概要】
【発明が解決しようとする課題】
【０００６】
本発明は、上記のような従来技術の問題点に鑑み、販売時点情報管理装置を提出することを目的とする。
【課題を解決するための手段】
【０００７】
上記目的を達成するため、本発明に係る販売時点情報管理装置は、クラウドホストと、第１データを保存することに用いられ、クラウドホストに接続されると共に第１データをクラウドホストに送信すると共に同期して保存する第１の売上管理コンピュータと、第１の売上管理コンピュータに接続され、接続状態を検出することに用いられ、接続状態に異常があることを検出した時、第１データを第１の売上管理コンピュータに一時保存し、接続状態が正常にあることを検出した時、第１データをクラウドホストに送信して第１の売上管理コンピュータと同期して保存する検出素子と、を含む。
【０００８】
第１の売上管理コンピュータは、第１データを保存するためのデータベースを更に含む。クラウドホストは、第１データを保存するためのゾーニングデータベースと、第１データをバックアップすると共に第１データを第１の売上管理コンピュータに返送するためのバックアップリカバリーモジュールとを更に含む。そのほか、第１の売上管理コンピュータは、接続状態に異常があることを検出した時、第１の売上管理コンピュータに一時保存する第１データを記録するためのストレージモジュールを更に含む。
【０００９】
本発明は、第１の売上管理コンピュータに接続され、第２データを第１の売上管理コンピュータにアップロードする複数台の第２の売上管理コンピュータを更に含む。検出素子は接続状態に異常があることを検出した時、第２データを第１の売上管理コンピュータに一時保存し、接続状態が正常にあることを検出した時、第２データをクラウドホストに送信して第１の売上管理コンピュータと同期して保存する。
【００１０】
以下、実施形態において本発明の詳細な特徴及び長所を詳述する。その内容は当業者に本発明の技術内容を理解させると共にこれをもって本発明を実施でき、且つ本明細書で開示される内容、特許請求の範囲及び図面に基づくもので、当業者は本発明の関連の目的及び長所を分かりやすくなる。
【図面の簡単な説明】
【００１１】
【図１】本発明に係る販売時点情報管理装置を示す図（一）である。
【図２】本発明に係る第１の売上管理コンピュータを示す図である。
【図３】本発明に係るクラウドホストを示す図である。
【図４】本発明に係る販売時点情報管理装置とモバイルデバイスとを接続した様子を示す図である。
【図５】本発明に係る販売時点情報管理装置を示す図（二）である。
【発明を実施するための形態】
【００１２】
本発明に係る販売時点情報管理装置を示す図１を参照しながら説明する。本発明の販売時点情報管理装置にはクラウドホスト１０と第１の売上管理コンピュータ２０と検出素子３０とを含む。
【００１３】
クラウドホスト１０は、データを保存するために用いられると共にデータを読み取ることができるホストである。例えば、クラウドホスト１０は接続方式を利用して異なる通信プロトコルの通信回線を通じてその物件に接続できることで、クラウドホスト１０に送信して保存し、同時にクラウドホスト１０で保存しているデータを読み取ることができる。クラウドホスト１０は例えばフラッシュメモリ或いはハードディスク等の記録媒体に位置するゾーニングデータベース１１を更に含む。
【００１４】
本発明に係る第１の売上管理コンピュータを示す図２を参照しながら説明する。第１の売上管理コンピュータ２０は、好しくはＰＣ本体２１にディスプレイ２２を搭載して使用することができる。ただし、第１の売上管理コンピュータ２０の数量は、好しくは複数台とする。ＰＯＳモジュールは、好しくは第１の売上管理コンピュータ２０に取り付けることができ、ディスプレイ２２によりＰＯＳモジュールの操作画面を表示する。ユーザは簡単にＰＯＳモジュールを通じて過去各商品の毎日、更に１時間の売上状況を管理できため、実際に数量をチェックすることなく、商品の在庫量を知ることができる。
次に、ＰＯＳモジュールでもまた会社本部からの各種商品の最新情報を一緒に提供できる。ユーザは第１の売上管理コンピュータ２０を通じて関連データを得て将来可能な売上状況を分析と予測することで、注文の参考とすることができる。こうすることで不必要な在庫プッレシャーを軽減でき、効果的に顧客動向を把握することで売上額をアップできる。同時にＰＯＳモジュールでは顧客の消費情報も収集でき、顧客関係管理システム（Ｃｕｓｔｏｍｅｒ  Ｒｅｌａｔｉｏｎｓｈｉｐ  Ｍａｎａｇｅｍｅｎｔ、ＣＲＭ）と組み合わせることで、更に一対一の販売サービスを実現できる。
【００１５】
そこで、第１の売上管理コンピュータ２０は、そのＰＯＳモジュールの操作状態で第１データを保存するためのデータベース２３を備える。第１の売上管理コンピュータ２０がクラウドホスト１０に接続し、ユーザがＰＯＳモジュールを操作した後、その第１データを第１の売上管理コンピュータ２０の中に保存する。
第１データを第１の売上管理コンピュータ２０に保存する時、第１の売上管理コンピュータ２０が同時に第１データをクラウドホスト１０に送信して同期して保存する。そこで、第１データをクラウドホスト１０のゾーニングデータベース１１に保存する。第１の売上管理コンピュータ２０が複数台の時、ゾーニングデータベース１１は各々第１の売上管理コンピュータ２０の第１データを分類して保存できる。
【００１６】
本発明に係るクラウドホストを示す図３を参照しながら説明する。クラウドホスト１０は第１データを別途バックアップするためのバックアップリカバリーモジュール１２を更に備える。第１の売上管理コンピュータ２０の第１データが破損又は消失した時、バックアップリカバリーモジュール１２がバックアップした第１データを第１の売上管理コンピュータ２０に返送し、クラウドホスト１０の第１データと第１の売上管理コンピュータ２０の第１データを同期させる。
【００１７】
更に図１及び図２を参照しながら説明する。検出素子３０は、第１の売上管理コンピュータ２０に接続され、クラウドホスト１０と第１の売上管理コンピュータ２０との接続状態を検出する。例えば電子チップの設置を通じてその接続状態を検出する。ただし、電子チップは例として挙げただけであり、本発明はこれに限られるものではない。
検出素子３０が接続状態の異常を検出した時、第１の売上管理コンピュータ２０にある第１データをスムーズにアップロードすると共にクラウドホスト１０に保存せず、この場合、第１の売上管理コンピュータ２０が正常に作動でき、接続状態の異常下で生成した第１データを第１の売上管理コンピュータ２０に一時保存する。
検出素子３０が接続状態の正常を検出した後、第１の売上管理コンピュータ２０が直ちに接続状態の異常で生成された第１データをクラウドホスト１０にアップロードして第１の売上管理コンピュータ２０とクラウドホスト１０の第１データを接続状態が正常になった後直ちに同期して保存させる。
【００１８】
ここで、第１の売上管理コンピュータ２０はストレージモジュール２４を更に備える。第１データは取引データを更に有する。取引データは取引時に生成したデータで、検出素子３０が接続状態に異常があることを検出した時、第１の売上管理コンピュータ２０が取引し続けることができる。
ストレージモジュール２４は接続状態が異常な場合において、状態異常の時間内の取引で第１の売上管理コンピュータ２０に生成された取引データを記録するために用いることができる。接続状態が正常になった後、接続状態の異常な時間内に記録した取引データを第１の売上管理コンピュータ２０から直ちにクラウドホスト１０にアップロードする。この場合、接続状態が正常時の第１データと接続状態が異常時の取引データをいずれも改めてアップロードする必要がない。
接続状態の異常時に記録した取引データのみをアップロードすることにより、第１の売上管理コンピュータ２０とクラウドホスト１０の第１データを同期できるだけではなく、第１の売上管理コンピュータ２０とクラウドホスト１０の同期に要する時間を節約できる。
【００１９】
次に、クラウドホスト１０は検出モジュール１３と更新モジュール１４とを更に備える。クラウドホスト１０は検出モジュール２５により特定の第１の売上管理コンピュータ２０を検索できる。
例を挙げると番号Ａの第１の売上管理コンピュータ２０のデータが破損した場合、検出モジュール１３はＩＰアドレスの検索或いは他の方式を通じて、データが破損した番号Ａの第１の売上管理コンピュータ２０を探しだすことができる。このほか、クラウドホスト１０の更新モジュール１４も検出モジュール１３を通じて特定の第１の売上管理コンピュータ２０を検索でき、また特定の第１の売上管理コンピュータ２０についてデータ更新を行うことができる。
【００２０】
本発明に係る販売時点情報管理装置とモバイルデバイスとを接続した様子を示す図４を参照しながら説明する。本発明の販売時点情報管理装置はクラウドホスト１０に接続するモバイルデバイス４０を更に備える。モバイルデバイス４０は、好しくはタブレット型コンピュータ又は携帯電話とすることができるが、本発明はこれに限るものではない。
モバイルデバイス４０をクラウドホスト１０に接続することにより、ユーザはいつでもどこでもクラウドホスト１０にログインして第１データをチェックできる。そこで、モバイルデバイス４０もクラウドホスト１０においてデータの新規追加或いは修正を行ってから検出モジュール１３により特定の第１の売上管理コンピュータ２０及びクラウドホスト１０の更新モジュール１４を検索して特定の第１の売上管理コンピュータ２０に対してデータの更新を行うことができる。
【００２１】
本発明に係る販売時点情報管理装置を示す図５を参照しながら説明する。本発明の販売時点情報管理装置は、複数台の第２の売上管理コンピュータ５０を更に備える。例として挙げて言うと、複数台の第２の売上管理コンピュータ５０は同時に１台の第１の売上管理コンピュータ２０に接続し、第１の売上管理コンピュータ２０とローカルエリアネットワークを形成できる。そこで第１の売上管理コンピュータ２０と第２の売上管理コンピュータ５０はいずれも各自ＰＯＳモジュールを実行することに用いることができる。
各台第２の売上管理コンピュータ５０がＰＯＳモジュールを実行した後、第２データを生成し、第２の売上管理コンピュータ５０が同時に第２データを第１の売上管理コンピュータ２０のデータベース２３にアップロードして同期して保存できる。同時第１の売上管理コンピュータ２０も自ら作動して生成した第１データを複数台の第２の売上管理コンピュータがアップロードした第２データと一緒にクラウドホスト１０のゾーニングデータベース１１にアップロードして同期して保存する。
【００２２】
次に、検出素子３０は接続状態に異常があることを検出した時、第１の売上管理コンピュータ２０にある第１データと第２データがスムーズにアップロードできないため、クラウドホスト１０に保存する。この時、第１の売上管理コンピュータ２０と第２の売上管理コンピュータ５０は正常に作動でき、接続状態の異常時に生成した第１データと第２データを第１の売上管理コンピュータ２０に一時保存する。
検出素子３０は接続状態の正常を検出した後、第１の売上管理コンピュータ２０が直ちに接続状態の異常時に生成した第１データと第２データをクラウドホスト１０にアップロードし、第１の売上管理コンピュータ２０とクラウドホスト１０の第１データと第２データを接続状態が正常になった後直ちに同期して保存させる。そこで、モバイルデバイス４０をクラウドホスト１０に接続することにより、ユーザはいつでもどこでもクラウドホスト１０にログオンして第１データと第２データをチェックできる。
【００２３】
このほか、第１データと第２データもバックアップリカバリーモジュール１２によりバックアップできる。第１の売上管理コンピュータ２０の第１データと第２データが破損或いは消失した時、バックアップリカバリーモジュール１２でバックアップした第１データと第２データを第１の売上管理コンピュータ２０に返送する。これにより、クラウドホスト１０の第１データと第１の売上管理コンピュータ２０の第１データを同期させ、クラウドホスト１０の第２データと第１の売上管理コンピュータ２０の第２データを同期させる。そこで第１の売上管理コンピュータ２０はさらに第２データをそれぞれ対応する第２の売上管理コンピュータ５０に返送する。
【００２４】
本発明は、第１の売上管理コンピュータを通じてクラウドホストに接続してデータを同期して保存し、また検出素子により接続状態を検出する。接続状態に異常があることを検出した時、データを第１の売上管理コンピュータに一時保存し、接続状態が正常になった時、アップロードしていないデータを直ちにアップロードすると共に同期して保存する。販売時点情報管理サービスの使用上の利便性において、更に効果的に運用してネットワークが異常を発生した時、販売時点情報管理サービスが正常に使用できない問題を解決できる。
【符号の説明】
【００２５】
１０  クラウドホスト
１１  ゾーニングデータベース
１２  バックアップリカバリーモジュール
１３  検出モジュール
１４  更新モジュール
２０  第１の売上管理コンピュータ
２１  ＰＣ本体
２２  ディスプレイ
２３  データベース
２４  ストレージモジュール
３０  検出素子
４０  モバイルデバイス
５０  第２の売上管理コンピュータ
【図１】
2014032639.tif 000003
【図２】
2014032639.tif 000004
【図３】
2014032639.tif 000005
【図４】
2014032639.tif 000006
【図５】
2014032639.tif 000007